(57)【要約】      （修正有）【課題】洗浄液の外部飛散を防止し滴がしたたり落ちないようにすると共に、作業者のバラツキを解消し清掃作業全体を効率よく行うことが出来る窓ガラス等の払拭器を提供する。【解決手段】小売店等で市販されているガラスクリーナーに、ガラスクリーナーノズルにパッキングを接続しフレーム１を、ホースバンド２で固定する。窓ガラスにフレーム１に取り付けてるローラー１３で押し付け、ガラスクリーナーノズルより噴射された洗浄液をスポンジ１５で滴下防止する。またフレーム１の上面にセットされた剣先平板の替えゴム５を圧縮バネで一定力圧力にする。【選択図】図２
0003180995.tif 000002
【実用新案登録請求の範囲】
【請求項１】
本器の主要部品である箱型形状のフレームにガラス等側に滴下防止用スポンジ、また移動用ローラーを取付けてある。ガラス等の反対側には、別途市販商品のガラスクリーナーを組合せとするため、ガラスクリーナーノズルが基準とせしめるためのガイド、面受け用パッキンを設けてあり、固定はガラスクリーナーのポンプ部上面に取付けてホースバンドで締付けとしてある。拭き取り用の替えゴムは、ガラス側外部に構成とし、ガラスとの接触圧力を一定とするため、バネとガイド軸で直進移動をせしめ、バネ圧調整を可能としてあることにより、一定圧力で払拭が行える方法を特徴としてある払拭器。
【考案の詳細な説明】
【技術分野】
【０００１】本案件は窓ガラス等用払拭に関するものである。
【背景技術】
【０００２】従来窓ガラスを清掃する場合には、先ずガラスクリーナーで窓ガラスに塗布し、そして塗布と同時に布やスポンジで擦って汚れを落とし拭き取ってとっていた。
及び平板状の払拭体で汚れを落とし払拭するという手順で行われていた。
【先行技術文献】
【０００３】
【特許文献１】  実願  ２００１−００１２６６
【特許文献２】  公開実用新案件公報（実用新案登録等３０８０１９０号）（登録日  平成１３年６月２７日）
【考案の概要】
【考案が解決しようとする課題】
【０００４】ガラスクリーナーで洗浄液等を塗布した時に一定の距離から液体を吐出するため、液がノズルから噴射された後に霧や滴となりしたたり落ちるため、床や壁を汚したりする。また作業者の人体に悪影響を与える等の問題点を解消することができるようなした定圧力式窓ガラス等払拭を提供せんとするものである。
【課題を解決するための手段】
【０００５】本案件の要旨とするところは、窓ガラス本器を押し当て清掃作業を行う手段とし、小売店等で販売されてある商品のガラスクリーナーに本器を組合わせての構造とする。
接続はガラスクリーナーのノズルで行ない、倒れ防止対策としてガラスクリーナーのポンプ部に押し当て、ホースバンド等で固定保持せしめてある。形状は台形箱型とし清掃対称物方向を開口してあり液の外部への遮断を防いであります。
開口側に本器を移動した時に発生する抵抗摩擦を極少とすべき回転ローラーを設け、負荷を少なくしてある。払拭は平板ゴムとしガラス側を剣先形状にすることにより接触抵抗を少なくして、ビビリやとびを抑制しています。またゴムがガラス等に接触された時の加重バラツキを一定とせしめるため圧縮バネを設けてバネ圧を調整式とし可動式としてある。尚開口側中に設けてある板状スポンジは液の滴下及び擦るための構成である。尚乙のホースバンドは１のフレームと１８のガラスクリーナーを接続固定する手段である。
【考案の効果】
【０００６】本案件は従来の如く液が外部に飛散または滴がしたたり落ちる  がない。
また作業者がガラス等に押し当てる荷重を一定にすることにより払拭時のビビリ、トビ発生を抑え、安定した拭き取りが行える。加えて人体への  害も防止できる。
そして片手で握ったままの状態で全て行うことができるから清掃作業を効率良くスピーディーに行なうことができる。
【図面の簡単な説明】
【０００７】
【図１】  払拭器の全体図である
【図２】  本考案の全体構成図である
【図３】  本考案の中央縦の断面図である
【図４】  本考案の使用説明図である
【考案を実施するための形態】
【０００８】以下本考案の実施形態について図面を参考しつつ説明する。
図１は平面図、図２では全体図、図３では▲ト▼−▲ト▼断面図、図４は使用方法の説明図である。図中の２８はガラスクリーナーで本器を組合せ一体構造としてある。
本器は１フレームを基本ベースとし各部品を構成せしめてあり、作業者が手で１８のガラスクリーナーの２０ガラスクリーナーレバーを作動させることにより、１９ガラスクリーナーノズルから洗浄液が吐出され、２１ガラスに塗布となる。
２１のガラスに対して本器の移動が円滑にせしめる１３のローラーを設けてある。
１５のスポンジは１４のスポンジ押さえで保持とし、１６の段付ネジで固定してある。
ガラスに付着された洗浄液は５の替えゴムで払拭とする。尚５の替えゴムは磨耗等により交換を要し、固定は６の摺動板の移動に７の皿ビス等とする。
２１のガラスに接触された５の替えゴムを一定圧力に押し当てるため、６の摺動板の移動が必要であり、そのための１２のガイド軸を設け移動せしめ、８の圧縮バネにより圧力を発生してある。
また圧力の調整は９の調整板を４の調整ネジにより可能としてあり、可動可能な構造物は１０のホルダーに組合せ、３の丸子ネジで１のフレームに固定してある。
１１はナットとする。また１７のパッキングは２０のガラスクリーナーノズルからの液体洩れ防止用としてある。
【実施例】
【０００９】図４で示す如く手でガラスクリーナー１８を握って本器を窓ガラスに押し当てたた後指でガラスクリナーレバー１９を引くことによって、ガラスクリナーノズル２０より洗浄液が噴射される。そして噴射された洗浄液は本器フレーム１の中を通過して窓ガラスに塗布される。この状態において上下、左右に適宜に動かし所定の方向に移動させて洗浄液を払拭するものである。
【符号の説明】
【００１０】    １    本体
２    ホースバンド
３    丸子ネジ
４    調整ネジ
５    替えゴム
６    摺動板
７    皿ビス
８    圧縮バネ
９    調整板
１０  ホルダー
１１  六角ナット
１２  ガイド軸
１３  軸付ローラー
１４  スポンジ押工
１５  スポンジ
１６  段付ネジ
１７  パッキング
１８  ガラスクリーナー（市販品）
１９  ガラスクリーナーレバー（市販品）
２０  ガラスクリーナーノズル（市販品）
２１  ガラス（対象物）
【図１】
0003180995.tif 000003
【図２】
0003180995.tif 000004
【図３】
0003180995.tif 000005
【図４】
0003180995.tif 000006
【手続補正書】
【提出日】平成24年3月28日(2012.3.28)
【手続補正１】
【補正対象書類名】実用新案登録請求の範囲
【補正対象項目名】全文
【補正方法】変更
【補正の内容】
【実用新案登録請求の範囲】
【請求項１】
本器の主要部品である箱型形状のフレームにガラス等側に滴下防止用スポンジ、また移動用ローラーを取付けてある。ガラス等の反対側には、別途市販商品のガラスクリーナーを組合せとするため、ガラスクリーナーノズルが基準とせしめるためのガイド、面受け用パッキンを設け、固定はガラスクリーナーのポンプ部上面に取付けてホースバンドで締付けとしてある。拭き取り用の替えゴムは、ガラス側外部に構成とし、ガラスとの接触圧力を一定とするため、バネとガイド軸で直進移動をせしめ、バネ圧調整を可能としてあることにより、一定圧力で払拭が行える方法を特徴としてある払拭器。
【手続補正２】
【補正対象書類名】明細書
【補正対象項目名】全文
【補正方法】変更
【補正の内容】
【考案の詳細な説明】
【技術分野】
【０００１】本案件は窓ガラス等用払拭に関するものである。
【背景技術】
【０００２】従来窓ガラスを清掃する場合には、先ずガラスクリーナーで窓ガラスに塗布し、そして塗布と同時に布やスポンジで擦って汚れを落とし拭き取ってとっていた。
及び平板状の払拭体で汚れを落とし払拭するという手順で行われていた。
【先行技術文献】
【０００３】
【特許文献１】実願  ２００１−００１２６６
【特許文献２】公開実用新案件公報（実用新案登録等３０８０１９０号）（登録日  平成１３年６月２７日）
【考案の概要】
【考案が解決しようとする課題】
【０００４】ガラスクリーナーで洗浄液等を塗布した時に一定の距離から液体を吐出するため、液がノズルから噴射された後に霧や滴となりしたたり落ちるため、床や壁を汚したりする。また作業者の人体に悪影響を与える等の問題点を解消することができるようにした定圧力式窓ガラス等払拭を提供せんとするものである。
【課題を解決するための手段】
【０００５】本案件の要旨とするところは、窓ガラス本器を押し当て清掃作業を行う手段とし、小売店等で販売されてある商品のガラスクリーナーに本器を組合わせての構造とする。
接続はガラスクリーナーのノズルで行ない、倒れ防止対策としてガラスクリーナーのポンプ部に押し当て、ホースバンド等で固定保持せしめてある。形状は台形箱型とし清掃対称物方向を開口してあり液の外部への遮断を防いであります。
開口側に本器を移動した時に発生する抵抗摩擦を極少とすべき回転ローラーを設け、負荷を少なくしてある。払拭は平板ゴムとしガラス側を剣先形状にすることにより接触抵抗を少なくして、ビビリやとびを抑制しています。またゴムがガラス等に接触された時の荷重バラツキを一定とせしめるため圧縮バネを設けてバネ圧を調整とし、可動式としてある。尚開口側中に設けてある板状スポンジは液の滴下及び擦り防止用である。尚ホースバンドはフレームとガラスクリーナーを接続固定する手段である。
【考案の効果】
【０００６】本案件は従来の如く液が外部に飛散または滴がしたたり落ちるひまがない。
また作業者がガラス等に押し当てる荷重を一定にすることにより払拭時のビビリ、トビ発生を抑え、安定した拭き取りが行える。加えて人体への被害も防止できる。
そして片手で握ったままの状態で全て行うことができるから清掃作業を効率良くスピーディーに行なうことができる。
【図面の簡単な説明】
【０００７】
【図１】払拭器の全体図である
【図２】本考案の全体構成図である
【図３】本考案の中央縦の断面図である
【図４】本考案の使用説明図である
【考案を実施するための形態】
【０００８】以下本考案の実施形態について図面を参考しつつ説明する。
図１は平面図、図２は全体図、図３はＡ−Ａ断面図、図４は使用方法の説明図である。図中の２８はガラスクリーナーで本器を組合せ一体構造としてある。
本器は１フレームを基本ベースとし各部品を構成せしめてあり、作業者が手で１８のガラスクリーナーの２０ガラスクリーナーレバーを作動させることにより、１９ガラスクリーナーノズルから洗浄液が吐出され、２１ガラスに塗布となる。
２１のガラスに対して本器の移動が円滑にせしめる１３のローラーを設けてある。
１５のスポンジは１４のスポンジ押さえで保持とし、１６の段付ネジで固定してある。
ガラスに付着された洗浄液は５の替えゴムで払拭とする。尚５の替えゴムは磨耗等により交換を要し、固定は６の摺動板の移動に７の皿ビス等とする。
２１のガラスに接触された５の替えゴムを一定圧力に押し当てるため、６の摺動板の移動が必要であり、そのため１２にガイド軸を設け移動せしめ、８の圧縮バネにより圧力を発生可能してある。
また圧力の調整は９の調整板を４の調整ネジにより調整を行ない、可動可能な１０のホルダーに組合せ、３の丸子ネジで１のフレームに固定してある。
１１はナットとする。また１７のパッキングは２０のガラスクリーナーノズルからの液体洩れ防止用としてある。
【実施例】
【０００９】図４で示す如く、手でガラスクリーナー１８を握って本器を窓ガラスに押し当てた後指でガラスクリナーレバー１９を引くことによって、ガラスクリナーノズル２０より洗浄液が噴射される。そして噴射された洗浄液は本器フレーム１の中を通過して窓ガラスに塗布される。この状態において上下、左右に適宜に動かし所定の方向に移動させて洗浄液を払拭するものである。
【符号の説明】
【００１０】１    本体
２    ホースバンド
３    丸子ネジ
４    調整ネジ
５    替えゴム
６    摺動板
７    皿ビス
８    圧縮バネ
９    調整板
１０  ホルダー
１１  六角ナット
１２  ガイド軸
１３  軸付ローラー
１４  スポンジ押工
１５  スポンジ
１６  段付ネジ
１７  パッキング
１８  ガラスクリーナー（市販品）
１９  ガラスクリーナーレバー（市販品）
２０  ガラスクリーナーノズル（市販品）
２１  ガラス（対象物）
【手続補正３】
【補正対象書類名】図面
【補正対象項目名】全図
【補正方法】変更
【補正の内容】
【図１】
0003180995.tif 000007
【図２】
0003180995.tif 000008
【図３】
0003180995.tif 000009
【図４】
0003180995.tif 000010
【手続補正書】
【提出日】平成24年7月2日(2012.7.2)
【手続補正１】
【補正対象書類名】明細書
【補正対象項目名】全文
【補正方法】変更
【補正の内容】
【考案の詳細な説明】
【技術分野】
【０００１】本案件はガラス等用払拭に関するものである。
【背景技術】
【０００２】従来窓ガラスを清掃する場合には、先ずガラスクリーナーで窓ガラスに洗浄液を塗布しそして塗布と同時に布やスポンジで擦って汚れを落とし拭き取る手法と、平板状の払拭体で汚れを落とし払拭するという手順で行われていた。
【先行技術文献】
【０００３】
【特許文献１】実願２００１−００１２６６
【特許文献２】公開実用新案件公報（実用新案件登録等３０８０１９０号）（登録日  平成１３年６月２７日）
【考案の概要】
【考案が解決しようとする課題】
【０００４】ガラスクリーナーで洗浄液を塗布した時に一定の距離から液体を吐出するため、液がノズルから噴射された後に霧や滴となりしたたり落ちるため、床や壁を汚し、また作業者の人体に悪影響を与える等の問題を解決することができるようにした定圧力式ガラス等払拭を提供せんとするものである。
【課題を解決するための手段】
【０００５】本案件の要旨とするところは、窓ガラス等に本器を押し当て清掃作業を行う手段とし、小売店等で販売されてある商品のガラスクリーナーに本器を組合わせての構造とせしめ、接続はガラスクリーナーのノズルで行ない、倒れ防止策としてガラスクリーナーのガラスクリーナーポンプ部に押し当て、ホースバンドで固定保持し、本体形状は台形箱型とし、清掃対象物方向を開口し液の外部への遮断を防いであります。開口側に本器を移動した時に発生する抵抗摩擦を極少とすべき回転ローラーを設け、負荷を少なくしてあり、払拭は平板ゴムとしガラス側を剣先状にすることにより接触抵抗を少なくして、ビビリやとびを抑制し、ゴムがガラス等に接触された時の荷重バラツキを一定とせしめるため圧縮バネを設けてバネ圧を調整可能な可動式としてある。尚開口側中に設けてある板状スポンジは液の滴下防止手段として構成してある。
【考案の効果】
【０００６】本案件は従来の如く液が外部に飛散または滴がしたたり落ちるひまがなく、また作業者がガラス等に押し当てる荷重を一定にすることにより払拭時のビビリ、トビ発生を抑え、安定した拭き取りが行える。加えて人体への被害も防止でき、そして片手で握ったままの状態で全て行なうことができるから清掃作業を効率よくスピーディーに行うことができる。
【図面の簡単な説明】
【０００７】
【図１】払拭器の全体図である
【図２】本考案の全体構成図である
【図３】本考案の中央縦の断面図である
【図４】本考案の使用説明図である
【考案を実施するための形態】
【０００８】以下本考案の実施形態について図面を参照しつつ説明する。図１は平面図、図２は全体図、図３はＡ−Ａ断面図、図４は使用方法の説明図である。「図２の全体図において」（１）図中、１８は洗浄液が充填されたガラスクリナーであり、本器との接続は、２０の    ガラスクリーナーノズルを基準にポンプ部上面と１の本体を、２のホースバンドで固    定せしめてあり、１９はガラスクリーナーレバーである。    尚１７のパッキングは洗浄液の漏れ防止用とする。（２）前記ガラスクリーナー１８のガラスクリーナーレバー１９を指で引くことにより噴    射されガラス２１に塗布された洗浄液を払拭するための手段として、５替えゴムを移    動可能な６摺動板に７皿ビス等で固定せしめてある。    また払拭体により掻き取りに対する２１ガラスと５替えゴムとの接触圧力の強弱を可    変可能とするための方法として、６摺動板左右に１２ガイド軸を固定し、１０ホルダ    ーをガイドとせしめ平行移動としてある。そして接触圧力を定圧とするため、各１２    ガイド軸に、８圧縮バネを設け、バネの荷重を調整する９調整板をバネ受けとし、１    ０ホルダー中心に設けた４調整ネジによって解決してある。１１ナットロック用とす    る。（３）本器の円滑なる移動動作を得るため、１３軸付ローラー４ヶ、及び洗浄液の滴下防    止用の１５スポンジ、保守用１４スポンジ押上を１本体内部に組み合わせ、各締結部    品により締め付け構成とする。次に本考案の使用方法について説明する。    図４に示す如く、１８ガラスクリーナーを握って本器の１３軸付ローラーが、２１窓    ガラスに接触するように押し当て、指で１９ガラスクリーナーレバーを引く。    これにより２０ガラスクリーナーノズルから洗浄液が吐出噴射される。    そして噴射された洗浄液は１本体内部を通って２１窓ガラスに塗布される。この状態    において、上下・左右に適宜に動かし、洗浄液を塗布すると共に所定の方向に移動さ    せて洗浄液を払拭するものである。
【実施例】
【０００９】図４で示す如く、手でガラスクリーナー１８を握って本器をガラスに押し当てた後指でガラスクリーナーレバー１９を引くことによって、ガラスクリーナーノズル２０より洗浄液が噴射される。そして噴射された洗浄液は本器本体１の中を通過して窓ガラスに塗布される。この状態において上下・左右に適宜動かし所定の方向に移動させて洗浄液を払拭するものである。
【符号の説明】
【００１０】１    本体２    ホースバンド３    丸子ネジ４    調整ネジ５    替えゴム６    摺動板７    皿ビス８    圧縮バネ９    調整板１０  ホルダー１１  六角ナット１２  ガイド軸１３  軸付ローラー１４  スポンジ押工１５  スポンジ１６  段付ネジ１７  パッキング１８  ガラスクリーナー（市販品）１９  ガラスクリーナーレバー（市販品）２０  ガラスクリーナーノズル（市販品）２１  ガラス（対象物）
【手続補正２】
【補正対象書類名】実用新案登録請求の範囲
【補正対象項目名】全文
【補正方法】変更
【補正の内容】
【実用新案登録請求の範囲】
【請求項１】
本器は一般的なガラスクリーナーを用いて本器に組み合わせての構成とし、ガラスクリーナーより噴射された液体が、本体の箱型形状の中を通過するため外部飛散を防止せしめ、同時に滴下防止とするための細長板状スポンジの先端を所要程度突出し固定する。その本体上面に設けてあるゴム等からなる平体状の払拭体とからなる定圧力式窓ガラス等用払拭器。
【請求項２】
液体通路と移動を円滑にせしめるための回転ローラー、固定ガイドローラーを形成してなる請求項１記載の定圧力式窓ガラス等用払拭器。
【請求項３】
ゴム平板状の払拭体の先端を断面剣先状にすることにより、摩擦抵抗が低くなりスムーズな作動をせしめ、ビビリやとびを抑制せしめる効果となる。他方ガラス等との接触圧力を一定にすることにより、安定的にバラツキのない拭き取りを行うための方法として、拭き取り用のゴム平板状替えゴム５を摺動板６に固定し、ガイド軸１２を設けて、ホルダー１０を基準に直進移動とせしめ、その中間に組み合わせとしてある圧縮バネ８のタワミ量で荷重を発生としてあり、荷重の変更を調整板１０により可能としてあり、一定圧力で払拭を行える方法を特徴としてある。請求項１又は２記載の定圧力式窓ガラス等払拭器。
【手続補正書】
【提出日】平成24年10月24日(2012.10.24)
【手続補正１】
【補正対象書類名】実用新案登録請求の範囲
【補正対象項目名】全文
【補正方法】変更
【補正の内容】
【実用新案登録請求の範囲】
【請求項１】
洗浄液を吐出するガラスクリーナーのノズルに組み合わせる払拭器であって、箱型形状の本体と、本体のガラスクリーナーのノズルと反対側に先端を所要程度突出し固定される細長板状スポンジと、本体上面に設けてあるゴム等からなる平状の払拭体とからなる払拭器。